(57)【特許請求の範囲】
【請求項１】
綴じ孔を穿設した書類を挿脱可能に保持する書類保持具であって、
二つ折り可能に形成される折り目を有するとともに、前記折り目の近傍に形成され、矩形の貫通孔部を形成するように立ち曲げ加工された少なくとも二対の掛け止め部を有するベースと、
両端に前記貫通孔部の対角線に略合致する幅を持った挿入端部を有し、前記綴じ孔に挿通される、互いに分離したそれぞれ独立の少なくとも２本の挿通部材と、
を具備することを特徴とする書類保持具。
【請求項２】
綴じ孔を穿設した書類を挿脱可能に保持する書類保持具であって、
二つ折り可能に形成される折り目を有するとともに、前記折り目の近傍に形成され、矩形の貫通孔部を形成するように立ち曲げ加工された少なくとも二対の掛け止め部を有するベースと、
両端に前記貫通孔部の対角線に略合致する幅を持った挿入端部を有し、前記綴じ孔に挿通される、長手方向の略中央部に折れ目が形成されている少なくとも２本の可撓性を有する挿通部材と、
を具備することを特徴とする書類保持具。
【請求項３】
前記ベースにおいて、該ベースの周縁部に沿って袋状に形成したインデックスラベル収納部と、前記インデックスラベル収納部の開放端近傍に、一部を残した切り込みを入れて形成したインデックスラベル止め片とを具備することを特徴とする請求項1又は２に記載の書類保持具。
【請求項４】
前記ベースにおいて、袋部を具備することを特徴とする請求項１乃至は３のいずれか１項に記載の書類保持具。
【請求項５】
前記ベースの下方周縁部に沿って、前記ベースの折り目に対して左右対称に形成される袋部を具備することを特徴とする請求項１乃至は４のいずれか１項に記載の書類保持具。
【請求項６】
前記ベースおよび前記挿通部材は、可撓性を有する、光透過性のポリプロピレン樹脂シートを用いて形成されることを特徴とする請求項1乃至は５のいずれか１項に記載の書類保持具。
【発明の詳細な説明】
【０００１】
【発明の属する技術分野】
本発明は書類、帳票類のファイルや綴じ込み保管具に関する。
【０００２】
【従来の技術】
従来のファイルやバインダーなどは、金属製帯状のスティックファスナーやリング式の綴じ具を表紙体に取り付け、綴じ込みファイルするものが多く知られている。
【０００３】
【発明が解決しようとする課題】
しかしながら、金属製帯状の綴じ具を用いたファイルやバインダーでは、書類を綴じたり外したりする度に、押さえ金具を取り外さなければならないため手間がかかる上に、スティックファスナー式のファイルでは、書類挿脱の頻度が多いと綴じ込みファスナーが可撓性低下により切断してしまうという不具合があった。更に、これらのファイルでは、書類等を片側から順次綴じ込む方式のため、書類の加除や差し替えに際しては、該当ページまでのすべての書類を一旦抜き取らねばならない。また、リング式のバインダー等では、たとえファイルする書類が数枚であっても、綴じ部を構成するリング径の厚みがあるため、保管に際して無駄なスペースをとるというような問題もある。
更に、従来のファイル等における見出しラベル差込式のインデックスでは、ファイル等の出し入れや持ち運びに際して見出しラベルが抜け落ちたり紛失しがちであった。
【０００４】
本発明は、上記の問題を解決するためになされたものであって、その目的は、綴じ孔を穿設した書類を挿脱可能に保持するために、一体プレス加工できる合成樹脂製ベースに、立ち曲げ形成された少なくとも二対の掛け止め形状部を設け、その形状部間に、書類綴じ込み用の挿通部材を挿着すれば完成する極めて安価で、且つ、表裏何れ側からも簡単に書類の綴じ込みや取り外しができる利便性と見開きの容易さを有し、更にはラベルの脱落が防げるインデックスラベル止め片を具備した、使い勝手の良い廉価な書類保持具を提供することにある。
また本発明の別の目的は、綴じ孔を穿設した書類を挿脱可能に保持するために、一体プレス加工できる合成樹脂製ベースに、立ち曲げ形成された少なくとも二対の掛け止め形状部を設け、その形状部間に、書類綴じ込み用の挿通部材を挿着すれば完成する極めて安価で、且つ、表裏何れ側からも簡単に書類の綴じ込みや取り外しができる利便性と見開きの容易さを有し、たとえファイルする書類が数枚であっても保管に際して無駄なスペースをとらない、使い勝手の良い廉価な書類保持具を提供することにある。
【課題を解決するための手段】
本発明の目的を達成するために、本発明によれば、綴じ孔を穿設した書類を挿脱可能に保持する書類保持具であって、中央部の折り目に沿い二つ折り可能に形成される折り目を有するとともに、折り目の近傍に形成され、矩形の貫通孔部を形成するように立ち曲げ加工された少なくとも二対の掛け止め部を有するベースと、両端に前記貫通孔部の対角線に略合致する幅を持った挿入端部を有し、前記綴じ孔に挿通される、互いに分離しそれぞれ独立の少なくとも２本の挿通部材とを具備することを特徴とする。
【０００５】
また本発明の別の目的を達成するために、本発明によれば、綴じ孔を穿設した書類を挿脱可能に保持する書類保持具であって、二つ折り可能に形成される折り目を有するとともに、前記折り目の近傍に形成され、矩形の貫通孔部を形成するように立ち曲げ加工された少なくとも二対の掛け止め部を有するベースと、両端に前記貫通孔部の対角線に略合致する幅を持った挿入端部を有し、前記綴じ孔に挿通される、長手方向の略中央部に折れ目が形成されている少なくとも２本の可撓性を有する挿通部材とを具備することを特徴とする。
【０００６】
更に、前記ベースにおいて、該ベースの周縁部に沿って袋状に形成したインデックスラベル収納部と、インデックスラベル収納部の開放端近傍に、一部を残した切り込みを入れて形成したインデックスラベル止め片とを具備するとともに、該ベースにおいて、１つ又は複数の袋部を具備することを特徴とする。
【０００７】
更に、該ベースの下方周縁部に沿って、前記折り目に対して左右対称に形成される袋部を具備することを特徴とする。
【０００８】
また、これらを構成するベースは、可撓性を有する、光透過性のポリプロピレン樹脂シートを用いて形成されることを特徴とするので、焼却時にダイオキシンが発生せず、しかもファイルした書類等を外側から視認できる効果がある。
【０００９】
以上の特徴を有する書類保持具を提供することにより、本発明が解決しようとする課題の解決を達成できる。
【００１０】
【発明の実施の形態】
以下に、本発明を実施した例を、図面を用いて説明する。
【００１１】
図１は本発明の実施形態に係る書類保持具を展開して内側から見た斜視図であり、図２（ａ）及び図２（ｂ）は、綴じ部を構成する挿通部材と挿通部材を係止する貫通孔部の拡大図である。図３は、本発明の実施形態の一例を説明する図である。図４は、本発明の実施形態に係る書類保持具のインデックスラベル止め片と袋部の構成を示す図である。
【００１２】
以下、本発明の実施形態を主要部ごとに詳細に説明する。
【００１３】
（１）綴じ部
図１において、書類保持具１は、例えば、ポリプロピレンのような、可撓性を有する光透過性の合成樹脂製のベース２を一体加工して成り、表裏両表紙体１０、１１を構成するよう中央部の折り目２ａにより二つ折り可能に形成されるとともに、折り目２ａに沿って左右両側に、所定の間隔をもって対応位置させ、矩形の貫通孔部３ａを形成するように立ち曲げ加工された、少なくとも二対の、掛け止め部３、３´が構成されている。
【００１４】
この掛け止め部３、３´は、図２（ｂ）に示すように、ベース２の一部を、折り目２ａに対しコの字状に切り起こすことによって表紙体１０、１１と一体に形成することができ、また、ベース２の有する可撓性により起倒自在であるため、表紙体１０、１１を二つ折りにするときに支障をきたすことがない。
【００１５】
次に、図２（ａ）、図２（ｂ）を用いて、挿通部材と貫通孔部について詳細に説明する。
【００１６】
書類等の綴じ込みに用いられる少なくとも2本の挿通部材４は、抜き型やプレス加工により簡単に製造できる、例えば、ポリプロピレンのような可撓性を有する所定の合成樹脂製であり、貫通孔部３ａの対角線に合致するように傾斜させて挿入したときのみ挿入可能で、且つ、貫通孔部３ａの縁部に係止する係止部４ｂを設けた端部の平面形状が矢尻形状に形成される挿入端部４ａを両端に有する。該挿入端部４ａは矢尻形状であるため、挿通部材４を書類Ｐの綴じ孔Ｐａや貫通孔部3ａに挿通し易い。
【００１７】
なお、本発明の実施の例では挿入端部４ａの形状を矢尻状に形成しているが、書類等に穿設された綴じ孔Ｐａや貫通孔部３ａを通りやすい形状であれば、例えば、半円形や台形であっても良いことはいうまでもない。
【００１８】
更に、挿通部材４の中心部には、挿通部材４を貫通孔部３ａに挿通した状態で表紙体１０、１１を二つ折りしたり開いたりするときに該挿通部材が容易に曲直できるよう、長手方向と直交して凹状の折れ目４ｃを設けている。
【００１９】
挿入端部の幅は、書類等に穿設した綴じ孔に容易に挿通でき、かつ強度を保てる適当な幅に設定され、また、貫通孔部３ａの寸法は、挿入端部４ａを貫通孔部３ａの対角線に合致するように斜めにすれば容易に通過でき、水平にすれば挿通部材４の係止部４ｂが貫通孔部３ａの縁部に係止するような値に設定される。
【００２０】
市販の穿孔具のパンチ孔径が標準６mmであることを踏まえ、好適な値としての一例を以下に示す。
挿通部材４は、挿入端部４ａを除いた長さが50〜55mm、幅が3.7mm、厚みが0.3〜0.4mmであり、挿入端部４ａは、長さが5mm、係止部４ｂの幅が5.5mmに形成され、その先端は書類等に引っかからないようにｒ（アール）がつけられている。
【００２１】
両者の寸法関係で、挿入端部４ａを貫通孔部３ａの対角線に合致するように斜めにすれば、容易に貫通孔部３ａに挿通できる。そして、挿入端部４ａが貫通孔部３ａを通過した後に挿通部材４を水平にすれば、係止部４ｂが貫通孔部３ａの縁部に係止できることになる。
【００２２】
なお、本実施例では、掛け止め部３、３´を表紙体１０、１１と一体に形成しているが、単体で形成された掛け止め部を一対にして表紙体に鋲着し、綴じ部を構成するようにしてもよい。
【００２３】
次に、書類等の綴じ込みの態様を、図３を用いて説明する。
【００２４】
前述したように、挿通部材４を、手前側の掛け止め部３の貫通孔部３ａの対角線に沿うように斜めにして挿通した後、被綴じ込み書類Ｐに穿設されたパンチ孔Ｐaに差し込む（図３に仮想線で示す）。そして、そのまま挿入端部４ａを、同様に先方側の掛け止め部３´の貫通孔部３ａに挿通し終わると、挿通部材４は、可撓性により自然に水平状態になり、その状態で両端の係止部４ｂが貫通孔部３ａの縁部に係止し綴じ込み操作を終了できる。
【００２５】
綴じ込まれた書類Ｐは、挿入端部４ａの何れか一方を貫通孔部３ａから取り外すことによって、表裏両表紙体１０、１１の何れの側からでも容易に抜き取ることができる。また、同様にして、綴じ込みも表裏何れの側からでも可能であり、初期に綴じ込んだ奥の方の書類を取り出したり差し替えたりする場合に、従来のように該当ページまでの総ての書類を一旦抜き取る必要がなく、目的のページに近い方の挿入端部４ａを外して簡単に書類を挿脱することができるので、特に綴じ込み枚数の多い書類保持において至便である。
【００２６】
また、図２（ｂ）に示すように、掛け止め部３、３´が起倒自在であることと、挿通部材４の有する可撓性により、綴じ込まれた書類Ｐの見開きが極めて容易であり、従来のパイプ式やスティック式ファイル等においては困難であった綴じ込み中央部の見開きが、ほぼ180°に近い展開状態で可能である。
更に、掛け止め部３、３´が起倒自在であること、及び、挿通部材４の折れ目４ｃにより、表紙体１０、１１を二つ折りにした場合、綴じ込まれた書類の厚さ以上には嵩張らず平坦に折り畳めるため、ファイルの保存や在庫に際して無駄なスペースをとることがない。
【００２７】
（２）インデックスラベル収納部及びラベル止め片
次に、図４を用いて、ファイルの内容を表示するインデックスラベル（見出しラベル）の収納部及び該インデックスラベル止め片について詳細に説明する。
【００２８】
インデックスラベル収納部５は、ベース２の周縁部に沿って、適宜見易い位置に袋状に形成する。ベース２を、表紙体や掛け止め部を一体加工するとき、インデックスラベル収納部５のカバーとなる部分や、後述する袋部となる部分を含めた形状に裁断し、基端辺５ａにおいて図示手前方向に折り返すことにより該収納部のカバーとなる部分が形成される。そして、折り返されたカバー部分の二方の側端辺５ｂをベース２に熱溶着することにより、表紙体１０の周縁部に連接する形で袋状のインデックスラベル収納部５が形成される。
【００２９】
また、インデックスラベルＬの出し入れを容易にするため、カバーとなる部分の開放端５ｃは逆Ｃ字状に形づくられている。
【００３０】
更に、図４に示すように、ベース２において、インデックスラベル収納部５の開放端５ｃの近傍に、矩形の一辺を残す形状で切れ込み６ａを施して浮き上がらせたインデックスラベル止め片６を形成する。丸切れ込み６ｂは、切れ込み６ａの切端の裂けを防ぐために施してある。
【００３１】
ファイルの内容を表示したインデックスラベルＬを、開放端５ｃから挿入した後、インデックスラベル止め片６を持ち上げ、図示のように該止め片６と切れ込み６ａの間にインデックスラベルＬの片端を差し込むと、インデックスラベル止め片６が有する可撓性により該ラベルの片端を挟み込むように留まり、インデックスラベルＬの抜け落ちや紛失を容易に防ぐことができる。インデックスラベルＬを取り出すときには、インデックスラベル止め片６を持ち上げ、挟まれたラベルの端を外せば簡単に取り出すことができる。
【００３２】
本実施の例では、インデックスラベル止め片６及び切れ込み６ａの形状を矩形としたが、例えば、半円形や台形や三角形であっても良い。
【００３３】
また、インデックスラベル収納部５の大きさは、見出しの目的に応じて適宜に設定すればよいが、インデックスラベル止め片６が開放端５ｃに近すぎると、インデックスラベルＬの出し入れがし難くなるため、両者の距離は20ｍｍ程度が好適である。
【００３４】
本実施の例では、ベース２の一部を折り返してインデックスラベル収納部５を形成するようにしているが、他の方法として、収納部のカバーとなる部材を別途用意し、ベース２の周縁部に沿って三方端を熱溶着してインデックスラベル収納部を形成しても良い。
【００３５】
（３）袋部
図４に示すポケット７は、カードや名刺などを収納するためのものである。ベース２の任意の位置に、ポケットのカバーとなる適宜な寸法の部材を配し、シール部７ｂを熱溶着し、袋状に形成する。開放端７ａは、被収納物の出し入れを容易にするためＣ字状に形成する。なお、この袋部の数は適宜選択することが可能であり、開放端の方向も縦横何れでも選択可能である。
【００３６】
一方、図１に示すように、表紙体１０、１１の下方周縁部に沿って、折り目２ａに対して左右対称に形成する袋部８は、ベース２を、表紙体や掛け止め部を一体加工するときに、袋部８のカバーとなる部を含めた形状に裁断し、基端辺８ｂにおいて上方に折り返し、該袋部のカバー部分を形成する。そして、折り返されたカバー部分の二方の側端辺８ｃ、８ｄをベース２に熱溶着することにより袋部８が形成される。
【００３７】
左右対称に適宜な大きさの袋部を、表紙体１０、１１の下方周縁部に沿って設けることによりこの部分が二重構造となり、書類保持具１の強度を高めるとともに、収納部としての機能も具備することができる。
【００３８】
なお、本実施例では、ベース２の一部を折り返して該袋部を形成しているが、同様形状のカバー部材を別途用意し、表紙体１０、１１の下方周縁部に沿って下端及び左右両端の三方を熱溶着して該袋部を形成するようにしても良い。また、該袋部の大きさについては、表紙体の長手方向ほぼ２分の一の位置から折れ目２ａに向け円弧を描き、下端で左右対称となる形状としているが、これに限定されるものではない。
【００３９】
これらを構成するベース２は、好適には可撓性を有する、光透過性のポリプロピレン樹脂シートを用いて形成する。この樹脂シートは焼却時にダイオキシンが発生せず、廉価で加工も容易である。
【００４０】
また、樹脂シートの厚さは適宜選択することが可能であるが、厚すぎると、強度は高くても加工し難く、特に熱溶着に不適であり、好適な値としては0.4mm程度が望ましい。
なお、本実施例では、光透過性のポリプロピレン樹脂シートを用いているが、これらのものが非透明であり、又は他の材料で作られることを妨げることはない。
【００４１】
【発明の効果】
以上説明したように、本発明によれば、焼却時にダイオキシンが発生せず、加工も容易な合成樹脂シートに、一体加工で立ち曲げ形成する少なくとも二対の掛け止め部を設け、該掛け止め部の間に書類綴じ込み用の挿通部材を挿着すれば完成し、かつ、表裏何れ側からも書類の綴じ込みや取り外しができる利便性と見開きの容易さを有すると共に、見出しラベルの脱落が防げるインデックスラベル止め片と、強度保持機能を兼ねた書類等収納部とを具備した、使い勝手の良い廉価な書類保持具を提供することができる。
また本発明によれば、焼却時にダイオキシンが発生せず、加工も容易な合成樹脂シートに、一体加工で立ち曲げ形成する少なくとも二対の掛け止め部を設け、該掛け止め部の間に書類綴じ込み用の挿通部材を挿着すれば完成し、かつ、表裏何れ側からも書類の綴じ込みや取り外しができる利便性と見開きの容易さを有し、たとえファイルする書類が数枚であっても保管に際して無駄なスペースをとらない、使い勝手の良い廉価な書類保持具を提供することができる。
【図面の簡単な説明】
【図１】  本発明の実施の形態例の書類保持具を、見開きの状態で全体を示す斜視図である。
【図２】（ａ）本発明の実施の形態における綴じ部の構成を説明するための拡大図である。
（ｂ）本発明の実施の形態における綴じ部の構成を説明するための拡大図である。
【図３】本発明の実施の形態における書類の綴じ込みを説明するための図である。
【図４】本発明の実施の形態におけるインデックスラベル収納部、インデックスラベル止め片及びポケットの構成を説明するための図である。
【符号の説明】
１    書類保持具
２    ベース
２ａ  折り目
３    掛け止め部
３´  掛け止め部
３ａ  貫通孔部
４    挿通部材
４ａ  挿入端部
４ｂ  係止部
４ｃ  折れ目
Ｐ    書類
Ｐａ  綴じ孔
Ｌ    インデックスラベル
５    インデックスラベル収納部
５ａ  基端辺
５ｂ  側端辺
５ｃ  開放端
６    インデックスラベル止め片
６ａ  切れ込み
６ｂ  丸切れ込み
７    ポケット
７ａ  開放端
７ｂ  シール部
８    袋部
８ｂ  基端辺
８ｃ  側端辺
８ｄ  側端辺
１０  表紙体
１１  表紙体
【図１】
0003729334.tif 000002
【図２】
0003729334.tif 000003
【図３】
0003729334.tif 000004
【図４】
0003729334.tif 000005